(57)【要約】【課題】  磁気カードの一面に立体画像を表現して、磁気カードに対する趣向乃至は興趣性を高めることができるようにする。【解決手段】  情報が磁気的に記録されている磁気機能部２を備えた基材シート層１にはその磁気機能部面と反対面側に三次元画像の印刷層３が、その印刷層３の画像印刷３ａ面側にかまぼこ形のレンチキュラー・スクリーン層４がそれぞれ緊密に接合して、これらの構成材層が一体的に固着されている。【選択図】  図１
0003109386.tif 000002
【実用新案登録請求の範囲】
【請求項１】
情報が磁気的に記録されている磁気機能部を備えた基材シート層には磁気機能部面と反対面側に三次元画像の印刷層が、その印刷層の画像印刷面側にかまぼこ形のレンチキュラー・スクリーン層がそれぞれ緊密に接合して、これらの構成材層が一体的に固着されていることを特徴とする立体印刷付き磁気カード。
【請求項２】
基材シート層とレンチキュラー・スクリーン層は透明であることを特徴とする請求項１記載の立体印刷付き磁気カード。
【請求項３】
基材シート層と印刷層及びレンチキュラー・スクリーン層の素材は塩化ビニル樹脂であることを特徴とする請求項１又は２記載の立体印刷付き磁気カード。
【請求項４】
基材シート層と印刷層との間には、該基材シート層と印刷層に緊密に接合して、第２の印刷層が設けられていることを特徴とする請求項１、２又は３項記載の立体印刷付き磁気カード。
【請求項５】
第２の印刷層の素材は塩化ビニル樹脂であることを特徴とする請求項４記載の立体印刷付き磁気カード。
【考案の詳細な説明】
【技術分野】
【０００１】  本考案は磁気カード類、特に銀行等における自動支払機に用いるＡＴＭ用カードに実施して好適な立体印刷付き磁気カードに関するものである。
【考案の開示】
【考案が解決しようとする課題】
【０００２】  従来知られている磁気カードは、情報が記録されている基材シート層の少なくとも片面側に、印刷（写真を含む）による文字や絵画等の表示層を設けて構成されているものが一般であり、その印刷表示は総て二次元的なものであって、カード保有者（ユーザ）に興味を持たせる表示ではなかった。最近の風潮からみれば、磁気カードにおいても機能面とは関係なく趣向乃至は興趣性を高め得るキャラクタもの等の印刷が要求されてきている。そこで、本考案の考案者等は、その要求を満たすことができる一つの方策として、磁気カード自体の使用に不都合を生じさせることなく、該カードに印刷の三次元的表示ができるようにすれば、ユーザに一層の興味感を与えることは勿論、カード自体の製品価値も一段と向上できることを知見した。【０００３】  その知見によれば、それは「かまぼこ形のレンチキュラー・スクリーン」を利用することであって、印刷層の画像を磁気カードに三次元的に表現させることができ可能となるものである。よって、本考案の目的は、磁気カードの磁気機能面とは反対面側にかまぼこ形のレンチキュラー・スクリーン層を設けることで、該カードに立体印刷による表示機能を付与することができ、かつ、ＪＩＳ規格Ｘ６３０１にも準拠した新規な立体印刷付き磁気カードを提供することにある。【０００４】  ここで、画像が「かまぼこ形のレンチキュラー・スクリーン」によって立体に見える原理は、２種類の像が多数の線として記録されている印刷物をかまぼこ形のレンチキュラー・スクリーンに接合して見ることによって、各各のレンズの作用で２種類の画像を普通の視覚距離で結合させて見ることである。また、磁気カードのＪＩＳ規格Ｘ６３０１には、カードの厚さ・反り・層間剥離・接着剤のはみ出しその他が規定されている。
【課題を解決するための手段】
【０００５】  上記目的を達成するために、本考案の特徴とする立体印刷付き磁気カードは、情報が磁気的に記録されている磁気機能部を備えた基材シート層には磁気機能部面とは反対面側に三次元画像の印刷層が、その印刷層の画像印刷面側にかまぼこ形のレンチキュラー・スクリーン層がそれぞれ緊密に接合して、これらの構成材層が一体的に固着されている構成である。【０００６】  この構成において、基材シート層とレンチキュラー・スクリーン層は当然に透明であって、これらの層の素材は印刷層も含めて塩化ビニル樹脂が好ましいが、其の他の同効樹脂（例えばアクリル樹脂等）も使用できる。上記印刷層は必要に応じて２層として実施され、２層の場合は、レンチキュラー・スクリーン層側に臨む印刷層に三次元画像が印刷され、また、基材シート層に臨む他の印刷層（第２の印刷層）には基材シート層の磁気機能面側から透視できる通常の二次元画像が印刷される。
【考案の効果】
【０００７】  なお、各層の厚み等を適正に選定して実施することで、磁気カードのＪＩＳ規格に準拠するものが構成され、ＡＴＭ用カード等に支障なく使用できることは勿論、カードの一面に立体画像を表現できてその製品価値は向上し、磁気カードに対する趣向乃至は興趣性も高めることができる。
【考案を実施するための最良の形態】
【０００８】  以下に、本考案の実施の形態を図面を参照して説明する。図１において、１は情報が磁気的に記録されている磁気機能部２を備えた基材シート層であって、通常のこの種カードと同様に長方形に形成されており、図示の場合は、磁気機能部２として情報が記録されている磁気テープが基材シート層１に面一に埋設されている。基材シート層１には、磁気機能部２面とは反対面側に三次元画像の印刷層３が接合し、更に、その印刷層３の画像印刷３ａ面側にかまぼこ形のレンチキュラー・スクリーン層４がそれぞれ緊密に接合して、基材シート層１と印刷層３とレンチキュラー・スクリーン層４の３部材は一体的に固着されている。【０００９】  基材シート層１、印刷層３及びレンチキュラー・スクリーン層４の素材はいずれも塩化ビニル樹脂（アクリル樹脂等の他の同効樹脂でもよい）であり、それらの厚さは基材シート層１が０．１ｍｍ、印刷層３が０．３〜０．４ｍｍ、レンチキュラー・スクリーン層４が０．２５〜０．４ｍｍ程度であって、カード厚さは０．６８〜０．８０ｍｍ（ＪＩＳ規格に準拠）であり、また、当然のことであるが、基材シート層１とレンチキュラー・スクリーン層４は透明な樹脂により構成されている。なお、基材シート層１と印刷層３とレンチキュラー・スクリーン層４の固着は融着乃至は接着剤による接着により果たされる。【００１０】  次に、本考案の他の実施の形態を説明する。図２に示すように、図１で説明した基材シート層１と印刷層３との間には基材シート層１との接合面側を通常の二次元画像の印刷面とした第２の印刷層５がそれぞれの層と緊密に接合固着されている構成である。この形態における各層の厚さは基材シート層１が０．１ｍｍ、印刷層３が０．１〜０．２５ｍｍ、第２の印刷層５が０．１５〜０．２ｍｍ、レンチキュラー・スクリーン層４が０．２５〜０．４ｍｍ程度であって、カード厚さは０．６８〜０．８０ｍｍである。第２の印刷層５の素材は印刷層３と同様に塩化ビニル樹脂である。なお、図２に示されているその他の構成部分については、図１に示す構成部分と均等な部分は、同一符号を用いてその具体的説明を省略する。
【図面の簡単な説明】
【００１１】
【図１】  本考案の実施の形態を一部切り欠いて示す斜視図である。
【図２】  図１のＡ−Ａ線断面図である。
【図３】  本考案の他の実施の形態を示す図２と同様な断面図である。
【符号の説明】
【００１２】１は基材シート層
２は磁気機能部
３は印刷層
３ａは画像印刷
４はレンチキュラー・スクリーン層
５は第２の印刷層
【図１】
0003109386.tif 000003
【図２】
0003109386.tif 000004
【図３】
0003109386.tif 000005